(57)【要約】【課題】プラントの増設や改修に伴うデータベースの更新の簡略化を図ったプラント監視装置を得る。【解決手段】データベース５０Ａに格納されるプラント要素構成テーブル及びプラント要素構成テーブルは、複数のプラント要素及びプラント監視対象の複数の信号それぞれについて、自身を示す要素ＩＤと、自身を含む上位の構成要素を示す上位要素ＩＤを関連付けている。データ収集手段４１は、プラントから定期的に収集した運転データ（プラント監視対象の複数の信号の値）を、関連する要素ＩＤとともにデータベース５０Ａ内のトレンドテーブルに保存する。イベント作成手段４２は、運転データが信号定義テーブルにおける所定の条件を満たしたときにイベントを生成して、そのイベントに関連する機器の要素ＩＤとともにデータベース５０Ａ内のイベントテーブルに格納する。【選択図】図１
2010257097.tif 000002
【特許請求の範囲】
【請求項１】
複数のプラント要素からなるプラントを監視するプラント監視装置であって、前記複数のプラント要素は所定数の階層レベルからなる階層構造を呈しており、
前記複数のプラント要素の関係を規定したプラント要素構成テーブルを格納するプラント要素構成テーブル格納手段を備え、前記プラント要素構成テーブルは、前記複数のプラント要素それぞれに対応づけて、自身を示す要素ＩＤと、自身を含む上位のプラント要素を示す上位要素ＩＤを関連付けており、
前記複数のプラント要素のいずれかで発生するプラント監視対象の複数の信号を規定した信号定義テーブルを格納する信号定義テーブル格納手段をさらに備え、前記信号テーブルは前記複数の信号それぞれに対応づけて、自身を示す信号用要素ＩＤと、前記複数のプラント要素のうち自身を発生するプラント要素を示す信号用上位要素ＩＤを関連付けており、
前記複数の信号の変化に基づき運転状況を監視する運転状況監視手段をさらに備える、
プラント監視装置。
【請求項２】
請求項１記載のプラント監視装置であって、
前記運転状況に基づき分析結果を視覚認識可能に所定の表示部に表示させる分析部をさらに備え、
前記分析部は、前記複数のプラント要素に対し、分析を所望するプラント要素を示す分析対象要素を選択可能であり、前記分析対象要素を基準とした分析レベルで分析結果を前記所定の表示部に表示させる集約・詳細化手段を含む、
プラント監視装置。
【請求項３】
請求項２記載のプラント監視装置であって、
前記複数の信号に対応して設けられ、前記分析結果を得るための前記複数の信号に対する信号種別及び演算種別を少なくとも規定した分析用信号識別情報を格納する分析用信号識別情報格納手段と、
前記分析用信号識別情報を参照して前記運転状況に基づく演算処理を行い分析用演算結果を得る演算手段とをさらに備え、
前記分析部は、前記分析用演算結果に基づき前記分析結果を得る、
プラント監視装置。
【請求項４】
請求項３記載のプラント監視装置であって、
前記運転状況監視手段は、前記複数の信号の変化に基づき運転状況監視用の運転状況監視用データを生成し、
前記分析用信号識別情報格納手段は、前記複数のプラント要素に対応して設けられた複数の分析用信号識別情報用バッファ領域を有し、前記複数の分析用信号識別情報用バッファ領域はそれぞれ前記分析用信号識別情報に関連して、前記分析用演算結果を一時的に格納可能であり、
前記演算手段は、前記運転状況監視手段による前記運転状況監視用データの生成時に、前記運転状況監視手段に連動して演算処理を行い前記分析用演算結果を得て対応する前記分析用信号識別情報用バッファ領域に一時的に保存する、
プラント監視装置。
【請求項５】
請求項４記載のプラント監視装置であって、
前記分析用識別情報は互いに異なる複数種の演算内容を指定可能な演算用識別項目をさらに有する、
プラント監視装置。
【発明の詳細な説明】
【技術分野】
【０００１】
この発明はプラント監視装置に関し、特に、産業プラントのようにポンプやバルブなどの機器や流量計、圧力計などのセンサが大量に配置されているシステムにおいて、センサが検出した運転データを運転員が監視することで、プラントの状態を即時に把握し、安定した運転を行う場合に関する。
【背景技術】
【０００２】
プラントは複数の設備で構成されており、各設備にはポンプやバルブなどの操作器や圧力計や流量計などのセンサが多数配置されている。プラントを監視するには、こうした機器がもつ信号を系統図や設備構成図などのＧＵＩ(Graphic User Interface)画面上に表示されるシンボルに割り付けて現在値を監視し、あるいはメッセージやグラフィック形式で表示される機器で生じた故障に関する情報を運転員が確認しながら運転を行っていた。
【０００３】
このような状況で、一人の運転員が多くの信号の内容を覚えることは困難になりつつあり、またアラームからどの個所が異常であるかを即時に特定するのが難しいということから、装置の構成を管理し、関連する信号を容易に表示する方法が例えば特許文献１に開示されている。
【０００４】
特許文献１に開示された方法おいて、運転員の負担を軽減し、運転操作の容易化すべく、プラントを構成する複数の構造タグを階層構造に区分けし、各構造タグに関し、関連する上位の階層の構造タグおよび下位の階層に属する構造タグをそれぞれ記憶しておく、そのためタグ名を覚えておかなくても、上位の階層から下位の階層へ順次関連する構造タグを辿ると、目的とする構造タグに辿り着くことができる。またモードに応じ、記憶されている要素タグに関連する情報を切り替えて表示することもできる。
【先行技術文献】
【特許文献】
【０００５】
【特許文献１】特開平４−３４７７９８号公報
【発明の概要】
【発明が解決しようとする課題】
【０００６】
しかし、改修や増設によりプラントの構成が変化した場合にはデータベースの更新が必要になったとき、信号の数が多いことや相互に項目が参照されているためにどの部分を変更してよいか判断が困難になることがある。すなわち、プラントの増設や改修を行うとデータベースの更新が難しいという第１の問題点があった。
【０００７】
プラントは機器の故障や寿命などから、継続的に増設や改修が行われる。こうした場合、運転データや設備管理データを格納したデータベースを更新しなければならない。このとき扱っている機器が多い場合はデータベースに格納するデータも複雑になるために、データ構造を十分に知っていないと修正は困難になることが多いというのが上記第１の問題点である。
【０００８】
加えて、プラントに含まれる機器が膨大であるため、監視しなければならない信号やアラームが多く、どのような運転状況なのかすぐに理解しにくい。すなわち、プラント管理で扱う信号が多い場合、運転状態が理解しにくいという第２の問題点があった。
【０００９】
この発明は上記問題点を解決するためになされたもので、プラントの増設や改修に伴うデータベースの更新の簡略化を図ったプラント監視装置を得ることを目的とする。さらに、プラントの運転状況が把握し易いプラント監視装置を得ることを目的とする。
【課題を解決するための手段】
【００１０】
この発明に係る請求項１記載のプラント監視装置は、複数のプラント要素からなるプラントを監視するプラント監視装置であって、前記複数のプラント要素は所定数の階層レベルからなる階層構造を呈しており、前記複数のプラント要素の関係を規定したプラント要素構成テーブルを格納するプラント要素構成テーブル格納手段を備え、前記プラント要素構成テーブルは、前記複数のプラント要素それぞれに対応づけて、自身を示す要素ＩＤと、自身を含む上位のプラント要素を示す上位要素ＩＤを関連付けており、前記複数のプラント要素のいずれかで発生するプラント監視対象の複数の信号を規定した信号定義テーブルを格納する信号定義テーブル格納手段をさらに備え、前記信号テーブルは前記複数の信号それぞれに対応づけて、自身を示す信号用要素ＩＤと、前記複数のプラント要素のうち自身を発生するプラント要素を示す信号用上位要素ＩＤを関連付けており、前記複数の信号の変化に基づき運転状況を監視する運転状況監視手段をさらに備える。
【発明の効果】
【００１１】
この発明における請求項１記載のプラント監視装置は、プラント要素構成テーブル及び信号定義テーブルによって、プラントを構成する複数のプラント要素及び複数のプラント要素のいずれかで発生するプラント監視対象の複数の信号それぞれについて、自身を示す要素ＩＤと、自身を含む上位のプラント要素を示す上位要素ＩＤを関連付けているため、複数のプラント要素及び複数の信号からなるプラント全体の階層構造を要素ＩＤにより一元管理することができる。
【００１２】
その結果、プラントの増設や改修に伴うプラント要素構成テーブル及び信号定義テーブルを含むデータベースの更新の簡略化を図ることができる効果を奏する。特に、プラント要素間の階層構造に変化がない場合において効果の度合は大きい。
【図面の簡単な説明】
【００１３】
【図１】この発明の実施の形態１であるプラント監視装置の構成を示すブロック図である。
【図２】図１で示したデータベースの内部構成を示す説明図である。
【図３】図１で示した実施の形態１のプラント監視装置が実現可能なコンピュータのハードウェア構成例を示すブロック図である。
【図４】図２で示した機器台帳の一例を表形式で示す説明図である。
【図５】図２で示した設備構成テーブルの一例を表形式で示す説明図である。
【図６】図２で示した設備構成テーブルに基づく分類構成を図式化した説明図である。
【図７】図２で示したトレンドテーブルの一例を表形式で示す説明図である。
【図８】図２で示したイベントテーブルの一例を示す説明図である。
【図９】図２で示した信号定義テーブルの一例を表形式で示す説明図である。
【図１０】実施の形態１のプラント監視装置の監視動作を示すフローチャートである。
【図１１】図１で示したプラント要素構成定義手段によるプラント構成要素情報の定義例を示す説明図である。
【図１２】この発明の実施の形態２であるプラント監視装置の構成を示すブロック図である。
【図１３】図１２で示したアセットタグ定義リストの一例を表形式で示す説明図である。
【図１４】図１２で示した集約・詳細化手段による分析動作（集約・詳細化動作）を示すフローチャートである。
【図１５】図５で示した設備構成テーブル、および図１３で示したアセットタグ定義リストである場合の集約・詳細化手段による集約・詳細化の例を示す説明図である。
【図１６】この発明の実施の形態３であるプラント監視装置の構成を示すブロック図である。
【図１７】図１６で示したアセットタグバッファ内における一の機器に対応して設けられるアセットタグ内容を表形式で示す説明図である。
【発明を実施するための形態】
【００１４】
＜実施の形態１＞
（全体構成）
図１はこの発明の実施の形態１であるプラント監視装置の構成を示すブロック図である。
【００１５】
実施の形態１のプラント監視装置は入力部１４、表示部１５及びプラント監視部２１から構成される。プラント監視部２１は、エンジニアリングツール３０Ａ、サーバ４０Ａ及びデータベース５０Ａで構成される。入力部１４はオペレータによりデータ入力可能にプラント監視部２１に接続され、表示部１５はプラント監視部２１による出力結果をグラフィックあるいはテキスト形式で表示する。
【００１６】
エンジニアリグツール３０はデータベース５０Ａと接続され、内部にプラント要素構成定義手段３１、信号定義手段３２及び機器台帳管理手段３３を有している。
【００１７】
プラント要素構成定義手段３１はプラント処理工程に応じて、どのような設備があるか、そしてその設備にどのような機器が含まれるかを定義する。信号定義手段３２は、プラントで扱われる信号と、その信号に関連する機器や設備を定義する。機器台帳管理手段３３は、プラントに納品された機器、あるいは改修された機器に関する情報を記録する。また、サーバ４０Ａは内部に、運転状況監視手段であるデータ収集手段４１及びイベント作成手段４２を有している。
【００１８】
図２は図１で示したデータベース５０Ａの内部構成を示す説明図である。同図に示すように、データベース５０Ａ内において、機器台帳情報を記録した機器台帳５１、プラント要素構成情報を記録したプラント要素構成テーブル５２、信号定義情報を記録した信号定義テーブル５３、サーバ４０Ａが収集した運転データを時系列に記録したトレンドテーブル５４と、サーバ４０Ａが作成したアラームを時系列に記録したイベントテーブル５５が格納されている。
【００１９】
したがって、データベース５０Ａは機器台帳５１、プラント要素構成テーブル５２、プラント要素構成テーブル５２、トレンドテーブル５４及びイベントテーブル５５の格納手段として機能する。データベース５０Ａ内に記録されたテーブル（台帳）の情報は表示部１５により表示することができる。
【００２０】
エンジニアリングツール３０Ａ内のプラント要素構成定義手段３１、信号定義手段３２及び機器台帳管理手段３３は、主として、オペレータが入力部１４を操作する際、入力部１４のユーザインタフェースとして機能する。
【００２１】
プラント要素構成定義手段３１は、入力部１４から入力されるプラントがどのような機器構成になるのかを示すプラント要素構成情報をデータベース５０Ａ内のプラント要素構成テーブル５２に記録する。機器台帳管理手段３３は、入力部１４から入力される機器の納入・点検・故障・搬出などの記録である機器台帳情報をデータベース５０Ａ内の機器台帳５１に記録する。信号定義手段３２は、入力部１４から入力されるプラントで使われる信号のもつ属性を示す信号定義情報をデータベース５０Ａ内の信号定義テーブル５３に記録する。
【００２２】
サーバ４０Ａはデータベース５０Ａに接続され、プラントから運転データ（プラント監視対象の複数の信号の値）を収集しアラーム作成を行う。具体的には以下の処理を行う。サーバ４０Ａ内のデータ収集手段４１は、プラントから定期的に収集した運転データを、関連する要素ＩＤとともにトレンドテーブル５４に保存する。また、サーバ４０Ａ内のイベント作成手段４２は、データ収集手段４１が収集した運転データが信号定義テーブル５３に含まれるアラーム発生のための条件を満たしたときにイベントを生成して、そのイベントに関連する機器の要素ＩＤとともにイベントテーブル５５に格納する。
【００２３】
なお、サーバ４０Ａがプラントから運転データを収集可能な点について、以下に示す。プラントにはセンサや機械が設置されており、これらの機器（センサ，機械）に関するプラント監視対象の信号はコントローラにつながれている。コントローラは接続された機器の信号をメモリ上に貯える。また、コントローラは制御ネットワークと呼ばれるネットワークに接続されており、この制御ネット―ワークにはサーバ４０Ａも接続されている。したがって、サーバ４０Ａは制御ネットワーク毎に専用のＩ／Ｆカードをもっており、ネットワークに繋がっているコントローラの蓄えたメモリ上のデータを参照することができる。このようにしてサーバ４０Ａはプラントの機器の信号の値を制御ネットワークを介して参照し、サーバ４０Ａ内の所定のメモリに貯えることにより、プラントから運転データを収集することができる。
【００２４】
（コンピュータによる実現）
図３は図１で示した実施の形態１のプラント監視装置が実現可能なコンピュータのハードウェア構成例を示すブロック図である。同図に示すように、コンピュータは、共有バス２８に共通に接続されるＣＰＵ１、ハードディスク２、メモリ３、キーボード４及びディスプレイ５から構成され、ハードディスク２内にはプラント監視部用プログラム２１Ｐ及びＯＳ２７が格納されている。
【００２５】
キーボード４及びディスプレイ５が実施の形態１のプラント監視装置における入力部１４及び表示部１５に相当する。また、プラント監視部２１のエンジニアリングツール３０Ａ及びサーバ４０Ａはハードディスク２内に格納されたプラント監視部用プログラム２１ＰをＣＰＵ１がＯＳ２７上で実行することにより実現される。また、データベース５０Ａはハードディスク２内にデータベース５０Ａ用の領域を確保することにより実現される。
【００２６】
（機器台帳５１）
図４は図２で示した機器台帳５１の一例を表形式で示す説明図である。同図に示すように、機器台帳５１は、プラントを構成する機器の情報を格納したもので、要素ＩＤ、処理種別、実施日、シリアル番号、型名、機種名、メーカ名などを含む。ここで処理種別は納入、改修、搬出などがある。
【００２７】
（プラント要素構成テーブル５２）
図５は図２で示したプラント要素構成テーブル５２の一例を表形式で示す説明図である。同図に示すように、プラント要素構成テーブル５２は、設備を構成する機器と設備の構成等を示す情報で、構成する設備や機器を識別する要素ＩＤとその要素を含む上位の構成要素を識別する上位要素ＩＤと当該要素の名称を含む。図５で示したプラント要素構成テーブル５２では、プラントを構成するプラント要素として、プラントを管理する市町村レベルを分類用の市町村分類Ｃ１、市町村が管理する機場（処理場、浄水場）レベルの分類用の機場分類Ｃ２、浄水場等の機場に含まれ処理工程に応じて分類される施設レベルの分類用の施設分類Ｃ３がある。さらに、施設に含まれそれぞれが単独に機能をもつ設備レベルの分類用の設備分類Ｃ４、設備を構成する機器レベルを分類する機器分類Ｃを有し、総計で５段階の階層レベルで要素を分類している。
【００２８】
例えば、「Ａ市Ｄ川浄水場」（要素ＩＤ：０１０００）における施設分類Ｃ３として、処理工程ごとに「沈砂」、「最初沈澱池」、「反応タンク」、及び「最終沈澱池」の４つに分類される。さらに、施設分類Ｃ３の各項目が機能毎に設備分類Ｃ４として分類される。例えば、施設分類Ｃ３の「沈砂池」（要素ＩＤ：００１００）では、「し渣搬出」、「スカム処理」、及び「沈砂搬出」からなる３つの設備分類Ｃ４に分類される。設備分類Ｃ４レベルの１つの機能は機器分類Ｃ５レベルの複数の機器により実現されるので、１つの設備には複数の機器が所属する形になる。
【００２９】
例えば、機器分類Ｃ５に分類される要素ＩＤ：00001の「汚泥ポンプ」は上位要素ＩＤ：000A0の「汚泥引抜」設備（設備分類Ｃ４）を構成する機器であり、「汚泥引抜」設備は上位要素ＩＤ：00400の「最終沈澱池」施設（施設分類Ｃ３）に存在し、その「最終沈澱池」施設は上位要素ＩＤ：01000の「Ａ市Ｄ川浄水場」機場（機場分類Ｃ２）に含まれることを意味する。
【００３０】
図６は図２で示したプラント要素構成テーブル５２に基づく分類構成を図式化した説明図である。同図に示すように、市町村分類Ｃ１により、市町村分類Ｃ１Ａに該当する「Ａ市」と、市町村分類Ｃ１Ｂに該当する「Ｂ市」等に分類される。
【００３１】
さらに、機場分類Ｃ２により、「Ａ市」は、機場分類Ｃ２Ａ１の「Ａ市Ｄ川浄水場」及び機場分類Ｃ２Ａ２の「Ａ市Ｅ川浄水場」等に分類される。
【００３２】
そして、施設分類Ｃ３により、「Ａ市Ｄ川浄水場」は、施設分類Ｃ３Ａ１の「沈砂池」、施設分類Ｃ３Ａ２の「最初沈砂池」、施設分類Ｃ３Ａ３の「反応タンク」、及び施設分類Ｃ３Ａ４の「最終沈砂池」に分類される。
【００３３】
また、設備分類Ｃ４により、「沈砂池」は、設備分類Ｃ４Ａ１１の「し渣搬出」、設備分類Ｃ４Ａ１２の「スカム処理」、設備分類Ｃ４Ａ１３の「沈砂搬出」に分類される。
【００３４】
同様にして、設備分類Ｃ４により、「最初沈砂池」は、設備分類Ｃ４Ａ２１の「汚泥引抜」、設備分類Ｃ４Ａ２２の「スカム処理」に分類される。
【００３５】
同様にして、設備分類Ｃ４により、「反応タンク」は、設備分類Ｃ４Ａ３１の「汚水調整」、設備分類Ｃ４Ａ３２の「ブロア」、設備分類Ｃ４Ａ３３の「タンク散気」及び設備分類Ｃ４Ａ３４の「風量制御」に分類される。
【００３６】
同様にして、設備分類Ｃ４により、「最終沈殿池」は、設備分類Ｃ４Ａ４１の「汚泥引抜」、設備分類Ｃ４Ａ４２の「スカム処理」及び設備分類Ｃ４Ａ４４の「脱臭」に分類される。
【００３７】
さらに、機器分類Ｃ５により、「汚泥引抜」は、機器分類Ｃ５Ａ２１１の「汚泥ポンプ」及び設備分類Ｃ４Ａ２１２の「汚泥引抜弁」に分類される。
【００３８】
なお、図５及び図６で示した市町村分類Ｃ１〜機器分類Ｃ５における各名称は、一般的な用語として用いられており、少なくとも、日本下水道協会発行の「下水道用語集」等を参照することにより容易に認識可能な用語であるため、各用語の意味内容についての説明は省略する。
【００３９】
（トレンドテーブル５４）
図７は図２で示したデータベース５０Ａ内に格納されるトレンドテーブル５４の一例を表形式で示す説明図である。同図に示すように、運転状況監視用データであるトレンドテーブル５４は、プラント監視対象の信号の運転データ（値）を時系列に記録しており、信号を識別する要素ＩＤと収集時刻と運転データ（値）を含んでいる。
【００４０】
（イベントテーブル５５）
図８は図２で示したデータベース５０Ａ内に格納されるイベントテーブル５５の一例を示す説明図である。同図に示すように、運転状況監視用データであるイベントテーブル５５は、イベント（故障，異常等）に関連する機器や設備や信号の要素ＩＤと、発生時刻、イベント名称、値（イベントの発生等）を含んでいる。
【００４１】
（信号定義テーブル５３）
図９は図２で示したデータベース５０Ａ内に格納される信号定義テーブル５３の一例を表形式で示す説明図である。同図に示すように、信号定義テーブル５３は、信号を識別する（信号用）要素ＩＤ、信号を参照するために使われるタグ名、関連する機器や設備の（信号用上位）要素ＩＤ、信号名称、信号の値がＯＮになった状態を示す名称である発生名称、ＯＦＦになったときの状態を示す名前である回復名称、並びにアラームの発生条件である上限値、下限値、及び単位から構成される。
【００４２】
（動作）
図１０は実施の形態１のプラント監視装置の監視動作を示すフローチャートである。なお、このフローチャートには、機器台帳５１、プラント要素構成テーブル５２、信号定義テーブル５３、トレンドテーブル５４及びイベントテーブル５５の授受状況を模式的に示している。以下、同図を参照して、実施の形態１のプラント監視動作の処理手順を説明する。
【００４３】
まず、ステップＳ１において、エンジニアリングツール３０Ａにおける機器台帳管理手段３３は、入力部１４により入力された情報に基づき得られた機器台帳情報をデータベース５０Ａ内の機器台帳５１に記録する。
【００４４】
次に、ステップＳ２において、エンジニアリングツール３０Ａ内のプラント要素構成定義手段３１は、入力部１４により入力された情報に基づき得られたプラント構成要素情報をデータベース５０Ａ内のプラント要素構成テーブル５２に保存する。
【００４５】
図１１は図１で示したプラント要素構成定義手段３１によるプラント構成要素情報の定義例を示す説明図である。同図に示すように、ツリービューなどを使ってグラフィカルにプラント構成要素情報を定義するようにしても良い。ツリー構造下において要素が新規に追加されると、プラント要素構成定義手段３１により、新規要素に新しく要素ＩＤが生成され、新規要素を指定した部分の上位にある要素の要素ＩＤを上位要素ＩＤとするプラント構成要素情報がプラント要素構成テーブル５２に登録される。
【００４６】
例えば、図１１において、設備分類Ｃ４の「終沈汚泥引抜」の「要素ID：1021」を取り上げる。ここに、この「終沈汚泥引抜」設備に新しく機器：「No.4汚泥ポンプ」を追加したとすると、このポンプに要素IDが新しく追加(ID:1031)され、プラント要素構成テーブル５２に１行エントリが追加される。このエントリの上位要素に「終沈汚泥引抜」の「要素ID：1021」1021が登録されることになる。
【００４７】
図１０に戻って、その後、ステップＳ３において、入力部１４により入力された情報に基づき得られたプラントで扱われる信号の定義情報をデータベース５０Ａ内の信号定義テーブル５３に保存する。
【００４８】
以上のステップＳ１〜Ｓ３の処理を実行することにより、データベース５０Ａ内の機器台帳５１、プラント要素構成テーブル５２及び信号定義テーブル５３それぞれに必要する情報が記録される。
【００４９】
そして、ステップＳ４において、サーバ４０Ａのデータ収集手段４１は、設備や機器からの運転データ（センサ等の機器の信号）を収集する。
【００５０】
続いて、ステップＳ５において、ステップＳ４で収集した信号を信号定義テーブル５３から検索して特定し、さらに特定した信号に対応する要素ＩＤを検索した後、要素ＩＤ、信号の収集時刻及び信号値をトレンドテーブル５４に記録する。
【００５１】
その後、ステップＳ６において、イベント作成手段４２は、信号定義テーブル５３を参照して、ステップＳ４で収集した運転データからイベントが生成できるかを判定し、イベントを生成する条件を満足した場合にイベントを生成し、生成したイベントをデータベース５０Ａ内のイベントテーブル５５に保存する。
【００５２】
イベント生成時におけるイベントの記録は、信号定義テーブル５３にある制限値（上限値，下限値）や属性名（発生名称）を使って行う。例えば、収集した信号の値「７０」であり、信号定義テーブル５３で示された当該信号の上限値が「５０」であれば、上限値異常のイベントを発生する。また発生名称が「故障」であれば、該当する信号がＯＮになったときには「故障」を示すイベントを生成する。生成したイベントはステップＳ５で取得した関連する信号の要素ＩＤと発生時刻とを併せてイベントテーブル５５に保存する。
【００５３】
その後、ステップＳ７では次の運転データの獲得時間まで待機した後、再び、ステップＳ４に戻る。以降、プラント監視状態が続行される限り、ステップＳ４〜Ｓ７が繰り返し実行される。
【００５４】
以下、ステップＳ４〜Ｓ６の処理を具体例を挙げて説明する。プラントでは機器の信号にはタグと呼ばれる信号名がついている（図９参照）。タグの例としては「002/AI003」であれば、「２番目のコントローラにあるアナログの信号を使う端子の３番目の信号を意味」する。プラントではタグの番号がきまるとサーバ４０Ａがデータを収集するメモリが予め決まっている。また、タグ名と関連する要素ＩＤが信号定義テーブル５３に格納されている。
【００５５】
したがって、ステップＳ４において、サーバ４０Ａがプラントから運転データ(機器の信号)を収集すると、収集したメモリのアドレスからタグ名を認識することができ、タグ名がわかると、信号定義テーブル５３を参照して信号の要素ＩＤを認識することができる。
【００５６】
したがって、信号定義テーブル５３には制限値も記載されていることから、ステップＳ６において、例えば上限値が「１００」のとき、収集した値が「１１０」であれば上限値異常といったイベントを発生させることができる。
【００５７】
（データベース５０Ａの更新）
プラントの増設や改修が発生したときにデータベース５０Ａの更新を行う。機器が追加された場合は、入力部１４より得られる情報に基づきエンジニアリングツール３０の機器台帳管理手段３３により機器台帳５１に機器を追加する。
【００５８】
そして、入力部１４より得られる情報に基づき、プラント要素構成定義手段３１は追加した機器についてプラント要素構成の定義を行いプラント構成要素情報を更新してプラント要素構成テーブル５２に記録する。さらに、入力部１４より得られる情報に基づき、信号定義手段３２は、追加した機器がもつ信号を更新して信号定義テーブル５３に追加する。
【００５９】
一方、機器が削除された場合は、入力部１４より得られる情報に基づきエンジニアリングツール３０の機器台帳管理手段３３により機器台帳５１から該当する機器を削除する。その後、プラント要素構成定義手段３１及び信号定義手段３２は、プラント要素構成テーブル５２及び信号定義テーブル５３２から削除した機器の要素ＩＤを検索して、それぞれのテーブルの該当部分だけ内容を自動的に消去する。
【００６０】
機器が移動・交換されタグ名や属性が変更された場合は、入力部１４より得られる情報に基づきエンジニアリングツール３０の機器台帳管理手段３３により機器台帳５１において該当する機器の変更内容を記録する。そして、入力部１４より得られる情報に基づき、エンジニアリングツール３０の信号定義手段３２により信号定義テーブル５３におけるタグ名等を更新する。
【００６１】
このように、実施の形態１のプラント監視装置は、信号、及び機器など物理的に変わらないプラント構成要素に対し要素ＩＤを設定し、市町村分類Ｃ１〜機器分類Ｃ５間の階層構造で関連づけるプラント構成要素情報をプラント要素構成テーブル５２内において要素ＩＤで一元的に管理している。このため、プラントを構成する階層構造自体が変わらない限りは、比較的簡単な機器台帳５１及び信号定義テーブル５３の更新処理だけで済ますことができるため、データベースの更新が容易に行える効果を奏する。
【００６２】
上述したように、実施の形態１のプラント監視装置は、プラント要素構成テーブル５２及び信号定義テーブル５３によって、プラントを構成する複数のプラント要素及び複数のプラント要素のいずれかで発生するプラント監視対象の複数の信号それぞれについて、自身を示す要素ＩＤと、自身を含む上位の構成要素を示す上位要素ＩＤを関連付けている。このため、複数のプラン要素及び複数の信号からなるプラント全体の階層構造を要素ＩＤにより一元管理することができる。
【００６３】
その結果、特に、プラント要素間の階層構造に変化がない場合において、プラントの増設や改修に伴うプラント要素構成テーブル５２及び信号定義テーブル５３を含むデータベースの更新の簡略化を図ることができる。
【００６４】
＜実施の形態２＞
実施の形態１では、プラントを構成するプラント要素を要素ＩＤによって一元管理できるようにした。実施の形態２のプラント監視装置は、実施の形態１の機能に加え、さらに一元管理されたプラントの運転データを分析する手段を備えるようにしたことを特徴している。
【００６５】
図１２はこの発明の実施の形態２であるプラント監視装置の構成を示すブロック図である。図１２において、実施の形態１で示した構成要素と同じ構成要素については同一の符号を付して説明を適宜省略する。なお、実施の形態２も実施の形態１と同様、図３で示したハードウェア構成のコンピュータを用いて実現可能である。
【００６６】
実施の形態２のプラント監視装置は、入力部１４、表示部１５及びプラント監視部２２から構成される。プラント監視部２２は、エンジニアリングツール３０Ｂ、サーバ４０Ｂ、データベース５０Ｂ及び分析部６０から構成される。
【００６７】
エンジニアリングツール３０Ｂは実施の形態１のエンジニアリングツール３０Ａの構成に加えさらにアセットタグ定義手段３４Ａを有している。サーバ４０Ｂは実施の形態１のサーバ４０Ａの構成に加えさらに演算手段４３を有している。
【００６８】
データベース５０Ｂは図２で示したデータベース５０Ａの内容に加え、さらに、アセットタグ定義リスト５６を有している。したがって、データベース５０Ｂはアセットタグ定義リスト５６の格納部（分析用信号識別情報格納部）として機能する。また、新たに追加された分析部６０は内部に集約・詳細化手段６１を有している。アセットタグ定義リスト５６は後に詳述するように、少なくとも一つのプラント監視対象の信号に対応して設けられ、分析結果を得るための上記少なくとも一つの信号に対する演算種別を少なくとも規定した分析用信号識別情報を格納する。
【００６９】
エンジニアリングツール３０Ｂのアセットタグ定義手段３４Ａは、入力部１４から入力される情報に基づきアセットタグを定義してデータベース５０Ｂ内のアセットタグ定義リスト５６に記録する。
【００７０】
図１３は図１２で示したアセットタグ定義リスト５６の一例を表形式で示す説明図である。アセットタグ定義リスト５６におけるアセットタグは設備や機器単位で定義可能な集計の単位を意味し、アセットタグ定義リスト５６では集計する信号（データ）の定義が記載されており、プラント全体に対して一のアセットタグ定義リスト５６が設定される。
【００７１】
１単位のアセットタグは、項目Ｎｏ．、演算種別及び信号種別の組からなる。例えば、項目１では、信号種別が「現在値」である信号について演算種別で指定された「平均」を求めるアセットが定義される。項目２では、信号種別が「現在値」である信号について演算種別で指定された「平均」を求めることが定義される。以下、この点について詳述する。
【００７２】
例えば、「要素ＩＤ：00001」の要素に関し、図５で示したプラント要素構成テーブル５２を参照した場合、この要素ＩＤをもつのは「汚泥ポンプ」であり、図９の信号定義テーブル５３によればその機器ＩＤ（信号用上位要素ＩＤ）をもつ信号は、“現在値”の名称をもつ信号の要素ＩＤが000001であることがわかる。
【００７３】
このとき、アセットタグ定義リスト５６の項目１のアセット定義に従い、トレンドテーブル５４から要素ＩＤ：000001の信号の運転データを集計して平均が求められる。同様に項目２のアセットに従い要素ＩＤ：000001の信号の運転データを集計して最大値が求められる。項目３のアセット定義の信号種別が「故障」である。このときは、「汚泥ポンプ」の要素ＩＤ:00001をもつ信号の「故障」イベントをイベントテーブル５５から検索し、その数をカウントして演算種別である「総数」が求められる。
【００７４】
なお、上述したアセットタグ定義リスト５６に基づく運転データの集計及び演算は、サーバ４０Ｂ内の演算手段４３によって行われ、その演算結果がアセット演算結果（分析用演算結果）となる。
【００７５】
分析部６０内の集約・詳細化手段６１は、演算手段４３が集計及び演算すべく分析対象となる選択された設備等を指示する分析対象情報を生成するとともに、この分析対象情報及びアセットタグ定義リスト５６に基づき演算手段４３より得られたアセット演算結果に基づき分析結果を表示部１５に表示する。
【００７６】
このような構成において、アセット演算結果を得るため、まず、アセットタグ定義手段３４Ａによって、入力部１４より得られる情報に基づきアセットタグ定義リスト５６を記録する。さらに、集約・詳細化手段６１によって分析対象情報を得る。
【００７７】
次に、実施の形態１と同様、サーバ４０Ｂによってプラントの運転データが収集される。その後、サーバ４０Ｂ内の演算手段４３が上述した分析対象情報及びアセットタグ定義リスト５６に基づく運転データの集計及び演算を行い、アセット演算結果を得る。
【００７８】
そして、集約・詳細化手段６１により、アセット演算結果を所望の分析レベルの分析結果を表示部１５に表示する。分析結果はリストや表形式で表示される。
【００７９】
この際、入力部１４により分析を所望する要素を示す分析対象要素が選択される。分析部６０内の集約・詳細化手段６１は、アセットタグ定義リスト５６を読み込み、演算手段４３により得られたアセット演算結果を選択された分析対象要素を基準とした分析レベルで表示部１５により表示させる。
【００８０】
図１４は図１２で示した集約・詳細化手段６１による分析動作（集約・詳細化動作）を示すフローチャートである。以下、同図を参照して集約・詳細化手段６１による分析動作を説明する。図１４では機器の信号（データ）を設備単位で集約する例を示している。
【００８１】
まず、ステップＳ１１において、分析部６０内の集約・詳細化手段６１により、入力部１４より得られる情報に基づき分析を行う少なくとも一つの設備が選択設備として選択され、当該選択設備を指示する分析対象情報を得る。
【００８２】
次に、ステップＳ１２において、分析対象情報が指示する選択設備の要素ＩＤをプラント要素構成テーブル５２から検索する。
【００８３】
その後、ステップＳ１３において、ステップＳ１２で検索した選択設備の要素ＩＤを集計し分析部６０内のバッファ（図１２では図示せず）内のリスト形式で構成される要素ＩＤリスト６２に追加する。
【００８４】
次に、ステップＳ１４において、プラント要素構成テーブル５２から一の機器を選び、その上位要素ＩＤがステップＳ１１で選択した選択設備と同じか否かを判定し、選択設備と同じであればステップＳ１５に移行し、異なっておればステップＳ１６に移行する。
【００８５】
ステップＳ１４でＹＥＳの場合に実行されるステップＳ１５において、選択設備を上位要素とする機器の要素ＩＤを分析部６０のバッファ内の要素ＩＤリスト６２に追加する。
【００８６】
ステップＳ１４でＮＯの場合及びステップＳ１５の後に実行されるステップＳ１６において、すべての機器についてステップＳ１４の判定を行ったかを判定し、行っておれば(YES)ステップＳ１７に移行し、行っていなければ(NO)ステップＳ１４に戻る。ステップＳ１４に戻った後、ステップＳ１６でＹＥＳが実行されるまで、ステップＳ１４〜Ｓ１６を繰り替える。
【００８７】
上記処理により、分析部６０のバッファ内の要素ＩＤリスト６２には、ステップＳ１１で選択された選択設備の要素ＩＤ及び選択設備におけるすべての機器の要素ＩＤが格納される。
【００８８】
ステップＳ１７において、演算手段４３は、要素ＩＤリスト６２に基づきアセットタグ定義リスト５６を参照して、トレンドテーブル５４及びイベントテーブル５５からアセットタグに基づき演算を行う。すなわち、演算手段４３は、アセットタグ定義リスト５６を参照し、アセットタグに含まれる項目の定義に従って、機器単位でトレンドテーブル５４やイベントテーブル５５を使って該項目の演算を行う。このような演算を要素ＩＤリスト６２に登録された機器すべてについて行い集計してアセット演算結果を得る。
【００８９】
なお、ステップＳ１７では、演算対象となる関連機器を示す機器ＩＤ（信号用上位要素ＩＤ）をバッファ内の要素ＩＤリスト６２に格納し、要素ＩＤリスト６２に登録された機器について演算手段４３により、トレンドテーブル５４及びイベントテーブル５５を用いた演算を行っていたが、要素ＩＤリスト６２に登録される機器が多くなった場合には演算に時間がかかる場合がある。
【００９０】
こうした場合、アセットタグ定義リスト５６内に演算結果を格納するバッファ領域を機器毎に設ける対応が考えられる。すなわち、プラントからの運転データを収集しトレンドテーブル５４及びイベントテーブル５５を作成する際に、演算手段４３をデータ収集手段４１，イベント作成手段４２と連動して動作させ、少なくともアセットタグ定義リスト５６に登録された要素ＩＤを有する機器ごとにアセットタグ定義リスト５６の指示する演算を行っておき当該バッファ領域にその結果を事前演算結果として予め格納する対応が考えられる。
【００９１】
このようにアセットタグ定義リスト５６内に事前演算結果の格納用のバッファ領域を設けることにより、ステップＳ１７において演算を行う際に、アセットタグ定義リスト５６に登録された機器に対応する上記事前演算結果に基づく比較的簡易な演算処理によりアセット演算結果を得ることができるため効率よく演算を行うことができる。
【００９２】
図１５は図５で示したプラント要素構成テーブル５２、及び図１３で示したアセットタグ定義リスト５６である場合の集約・詳細化手段６１による集約・詳細化の例を示す説明図である。同図において(a)及び(b)は分析結果６３Ａ及び分析結果６３Ｂを示している。分析結果６３Ａを集約した結果が分析結果６３Ｂである。
【００９３】
図１５(a)に示すように、分析結果６３Ａにおいて、「最初沈澱池」施設の「汚泥引抜」設備の詳細を示している。「汚泥引抜」設備は「汚泥引抜ポンプ」、「汚泥引抜弁」、「流量計」の３つの機器で構成される。それぞれの機器についてアセットタグ定義リスト５６に従い４つ項目（項目１〜項目４）が集計される。
【００９４】
しかし、「汚泥引抜ポンプ」、「汚泥引抜弁」、「流量計」の３つの機器それぞれの分析結果よりも、「汚泥引抜」設備全体の分析結果を重視する場合も考えられる。この場合、「汚泥引抜」を分析対象要素として集約を行うと、図１５(b)に示す分析結果６３Ｂを表示させることができる。
【００９５】
すなわち、同じ「汚泥引抜」設備に含まれる「汚泥引抜ポンプ」、「汚泥引抜弁」、「流量計」の３つの機器の値が集計されて表示される。例えば、「故障」の例では上記３つの機器の故障回数、それぞれ「５、１，２」が積算された値「８」が表示される。集約された表は同様に設備を選択して詳細化することもできる。また、平均値は上記３つの機器の総合平均値「４０．０」、最大値は上記３つの機器の最大値内の最大値「２００．０」が示される。
【００９６】
なお、逆に分析結果６３Ｂから分析対象要素である「汚泥引抜」設備について詳細化を行うと。分析結果６３Ａのようになる。集約・詳細化の各指示及び処理は、入力部１４より得られる情報に基づき集約・詳細化手段６１によって設定することができる。
【００９７】
集約や詳細化は設備・機器の間だけではなく、施設・設備や機場・施設の間でも同様に行うことができる。すなわち、プラントを構成する任意の階層下に含まれるすべてのプラント要素について行うことができる。例えばすべての施設に含まれる機器をすべて集約することもできる。
【００９８】
このように、実施の形態２のプラント監視装置では、分析結果を集約・詳細化することができるので、集約により多数の機器の状態を即座に把握することができる。また集約により見つかった項目について詳細化することで正確な運転状態を知ることがきできる。その結果、分析対象要素を中心とした所望の分析レベルでプラント監視することができるため、プラントシステム自体の長寿命化（長期使用）を図ることができる。
【００９９】
上述したように、実施の形態２のプラント監視装置は、集約・詳細化手段６１により、分析対象要素を基準として集約・詳細化等で決定される分析レベルの分析結果を表示部１５に表示させることができるため、様々な態様で分析結果を表示させることにより、プラントの運転状態（故障の発生状況の概要や詳細等）を即時に、かつ詳細に認識することができる。
【０１００】
加えて、実施の形態２のプラント監視装置は、アセットタグ定義リスト５６に基づくアセット演算結果を得、このアセット演算結果に基づき分析結果を取得しているため、アセットタグ定義リスト５６の内容を変更することにより様々な分析結果を得ることができる。
【０１０１】
＜実施の形態３＞
実施の形態１のプラント監視装置では、プラントで扱うプラント要素を要素ＩＤによって一元管理できるようにした。実施の形態２のプラント監視装置は、実施の形態１の機能に加え、さらに一元管理されたデータを分析する手段を備えるようにした。実施の形態３では実施の形態２の機能に加え、データを分析する際にその分析内容を指定するビューを定義できるようにした。
【０１０２】
図１６この発明の実施の形態３であるプラント監視装置の構成を示すブロック図である。図１６において、実施の形態１あるいは実施の形態２で示した構成要素と同じ構成要素については同一の符号を付して説明を適宜省略する。なお、実施の形態３も実施の形態１及び実施の形態２と同様、図３で示したハードウェア構成のコンピュータを用いて実現可能である。
【０１０３】
実施の形態３のプラント監視装置は、入力部１４、表示部１５及びプラント監視部２３から構成される。プラント監視部２３は、エンジニアリングツール３０Ｃ、サーバ４０Ｃ、データベース５０Ｃ及び分析部６０から構成される。
【０１０４】
エンジニアリングツール３０Ｃのアセットタグ定義手段３４Ｂは実施の形態２のアセットタグ定義手段３４Ａの機能に加え、後述するアセットタグバッファ５７の設定機能を有している。
【０１０５】
サーバ４０Ｃは実施の形態２のサーバ４０Ｂの構成に加えさらに通知手段４４を有している。データベース５０Ｃは図１２で示したデータベース５０Ｂの内容に加え、さらに、アセットタグバッファ５７を有している。したがって、データベース５０Ｃはアセットタグバッファ５７の格納部として機能する。
【０１０６】
アセットタグバッファ５７（分析用信号識別情報用バッファ領域）は全てのプラント要素に対応して設けられるアセットタグ定義リスト５６と同等の内容を格納する。
【０１０７】
図１７は図１６で示したアセットタグバッファ５７内における一の機器に対応して設けられるアセットタグ内容を表形式で示す説明図である。図１７のようなアセットタグバッファ５７が全てのプラント要素について設けられる。
【０１０８】
同図に示すように、アセットタグバッファ５７はプラント要素ごとに作られる領域で、演算種別。演算に使う信号（データ）種別、及び演算結果がビュー単位に定義されている。ここでは２つのビュー（ビュー項目１，ビュー項目２）が定義されており、ビュー項目１は演算種別：平均値、最大値、総数の３つの要素をもち、それぞれ信号種別：現在値、現在値、故障の信号から生成（演算）することを示している。一方、ビュー項目２は演算種別：総数、最小値の２つの要素をもち、それぞれ信号種別：運転、現在値の信号から生成（演算）することを示している。また、ビュー項目の分類は、「省エネルギー」「電力消費」等の目的に合わせって適宜設定できる。このようにビュー項目は、互いに異なる複数種の演算内容を指定可能な演算用識別項目として機能する。
【０１０９】
このように、データベース５０Ｃは、プラントを構成する複数のプラント要素に対応して設けられ、アセットタグ定義リスト５６に関連して、各プラント要素におけるアセット演算結果を一時的に格納可能なアセットタグバッファ（領域）５７を有している。
【０１１０】
通知手段４４はアセットタグバッファ５７に格納された演算結果の再演算必要時に再計算通知を演算手段４３に対して行う。
【０１１１】
このような構成において、まず、エンジニアリングツール３０Ｃのアセットタグ定義手段３４Ｂにより、実施の形態２と同様、図１３で示した構造のアセットタグ定義リスト５６を格納する。ただし、実施の形態２と異なり、図１７で示したようなビュー項目をさらに追加定義する。すなわち、アセットタグ定義リスト５６のアセットタグ定義内容はビュー項目と更新に必要なプラントデータ（運転データ＋イベントデータ）の信号種別及び演算種別とともに定義した内容（図１７の演算結果がない内容）であり、データベース５０に保存される。
【０１１２】
さらに、アセットタグ定義手段３４Ｂはアセットタグ定義リスト５６に基づき、プラントを構成する全てのプラント要素（市町村、機場、施設、設備、機器）に対応づけて、アセットタグ定義リスト５６の内容を反映させ、さらに演算結果の格納領域を有するアセットタグバッファ５７をデータベース５０内に設ける。
【０１１３】
次に、サーバ４０によりプラントから運転データが収集され、すなわち、データ収集手段４１及びイベント作成手段４２により運転データを含むトレンドテーブル５４及びイベントデータを含むイベントテーブル５５が生成される。この際、演算手段４３が必要時に応じてデータ収集手段４１及びイベント作成手段４２と連動して再演算動作することにより、併せてアセットタグバッファ５７の演算結果の欄に、各機器の演算種別に基づく演算結果が格納（更新）される。
【０１１４】
通知手段４４は、収集した運転データの信号種別から再演算が必要かどうかをアセットタグバッファ５７を参照することで判断する。そして、通知手段４４は、通知が必要になれば再演算通知を演算手段４３に対して行い、これを受けた演算手段４３は、再演算が必要な機器を抽出して再演算を行い、その演算結果をアセットタグバッファ５７内に演算結果の欄に格納する。
【０１１５】
その後、サーバ４０Ｂ内の演算手段４３が、実施の形態２と同様、分析対象情報及びアセットタグバッファ５７内の情報に基づく運転データの集計及び演算を行い、アセット演算結果を得る。
【０１１６】
そして、実施の形態２と同様、集約・詳細化手段６１により、アセット演算結果を所望の分析レベルの分析結果を表示部１５に表示させる。分析結果はリストや表形式で表示される。
【０１１７】
前述したようにサーバ４０の演算手段４３は、通知手段４４の再演算通知を受けると、データ収集手段４１、イベント作成手段４２の処理に連動してアセットタグバッファ５７内のアセットタグ定義に従いアセットタグの要素の再演算を行う。この再演算について、図９で示した信号定義テーブル５３を例に挙げて説明する。
【０１１８】
例えば、「002/AI003」の信号が更新された場合を考える。信号定義テーブル５３からこの信号は「現在値」を示すパラメータ（信号種別）であり、関連する機器は要素ＩＤ:00003であることがわかる。図５で示すプラント要素構成テーブル５２により要素ＩＤ:00003は「流量計」であることがわかる。要素ＩＤ:00003に関するアセットタグバッファ５７を参照すると、「現在値」が更新されることにより「平均」と「最大値」の再計算が必要なことがわかる。したがって、要素ＩＤ:00003は「流量計」の「平均」及び「最大値」を求める再演算を行う。
【０１１９】
また、プラント要素構成テーブル５２により要素ＩＤ:00003の上位要素は要素ＩＤ:000A0で「汚泥引抜」設備であることがわかるため、要素ＩＤ:000A0の「汚泥引抜」設備で用いられる機器における総合的な最大値の演算を再度実施する。同様に設備000A0の上位要素である要素ＩＤ:00200（最初沈澱池）、更に上位要素である要素ＩＤ:01000(Ａ市Ｄ川浄水場)についても同様の演算を実施してアセットタグバッファ５７に格納しておく。
【０１２０】
例えば、消費電力測定する機器についての再演算の必要が生じ、アセットタグバッファ５７が消費電力の合計値を指示していた場合、当該機器の消費電力合計、「汚泥引抜」設備全体における機器の消費電力合計、「最初沈澱池」施設全体における機器の消費電力合計、「Ａ市Ｄ川浄水場」機場全体における機器の消費電力合計が再演算され、対応するアセットタグバッファ５７の演算結果の欄に格納されることになる。
【０１２１】
上述したように、実施の形態３のプラント監視装置において、演算手段４３は通知手段４４の再演算通知に応答して、データ収集手段４１及びイベント作成手段４２によるトレンドテーブル５４及びイベントテーブル５５の生成時に、データ収集手段４１及びイベント作成手段４２に連動して演算処理を行いアセット演算結果を得て、アセットタグバッファ５７のバッファ領域（演算結果の欄）に一時的に保存している。このため、演算手段４３は、アセットタグバッファ５７を用いることにより、アセット演算結果、ひいては分析結果を比較的短時間で得ることができる効果を奏する。
【０１２２】
さらに、実施の形態３のプラント監視装置において、アセットタグ定義リスト５６及びアセットタグバッファ５７は互いに異なる複数種の演算内容を指定可能演算用識別項目であるビュー項目を有することにより、ビュー項目毎に演算内容を変更して多様な分析結果を得ることができる。
【符号の説明】
【０１２３】
１４  入力部、１５  表示部、３０Ａ〜３０Ｃ  エンジニアリングツール、３１  プラント要素構成定義手段、３２  信号定義手段、３３  機器台帳管理手段、３４Ａ，３４Ｂ  アセットタグ定義手段、４０Ａ〜４０Ｃ  サーバ、４１  データ収集手段、４２  イベント作成手段、４３  アセットタグ定義手段、４４  通知手段、５０Ａ〜５０Ｃ  データベース、５１  機器台帳、５２  プラント要素構成テーブル、５３  信号定義テーブル、５４  トレンドテーブル、５５  イベントテーブル、５６  アセットタグ定義リスト、５７  アセットタグバッファ、６０  分析部、６１  集約・詳細化手段。
【図１】
2010257097.tif 000003
【図２】
2010257097.tif 000004
【図３】
2010257097.tif 000005
【図４】
2010257097.tif 000006
【図５】
2010257097.tif 000007
【図６】
2010257097.tif 000008
【図７】
2010257097.tif 000009
【図８】
2010257097.tif 000010
【図９】
2010257097.tif 000011
【図１０】
2010257097.tif 000012
【図１１】
2010257097.tif 000013
【図１２】
2010257097.tif 000014
【図１３】
2010257097.tif 000015
【図１４】
2010257097.tif 000016
【図１５】
2010257097.tif 000017
【図１６】
2010257097.tif 000018
【図１７】
2010257097.tif 000019